(57)【要約】【課題】電気を用いることなく線状に発光し可撓性を備えた発光装置の提供。【解決手段】フレキシブルに形態が変化する基体１０１と、レーザー光を導光する導光部１２３と、導光部１２３に導光されるレーザー光の一部を導光方向と交差する方向に漏出させる漏洩手段１２６と、導光方向に沿って延在し漏洩手段１２６により漏洩したレーザー光に基づき発光する第一発光部１２４とを有する発光部材１０２であって、基体１０１に取り付けられ、基体１０１の形態の変化に追随してフレキシブルに形態が変化する発光部材１０２とを備える発光装置１００。【選択図】図１
2017069053.tif 000002
【特許請求の範囲】
【請求項１】
フレキシブルに形態が変化する基体と、
レーザー光を導光する導光部と、前記導光部に導光されるレーザー光の一部を導光方向と交差する方向に漏出させる漏洩手段と、導光方向に沿って延在し前記漏洩手段により漏洩したレーザー光に基づき発光する第一発光部とを有する発光部材であって、前記基体に取り付けられ、前記基体の形態の変化に追随してフレキシブルに形態が変化する発光部材と
を備える発光装置。
【請求項２】
前記基体は、棒状であり、
前記発光部材は、前記基体の外周面に螺旋状に巻き付いた状態で取り付けられる
請求項１に記載の発光装置。
【請求項３】
前記基体は、流体を供給するホースである
請求項１または請求項２に記載の発光装置。
【請求項４】
複数の前記発光部材が前記基体に所定の間隔で取り付けられ、
前記発光部材の前記導光部を連結する、フレキシブルに形態が変化する連結部材をさらに備える
請求項１〜３のいずれか一項に記載の発光装置。
【請求項５】
複数の前記発光部材のうち第一発光部材群は、第一光を発光し、第二発光部材群は、前記第一光とは異なる第二光を発光する
請求項４に記載の発光装置。
【請求項６】
前記基体と前記発光部材との間に配置され前記発光部材から放射された光を反射する反射部材をさらに備える
請求項１〜５のいずれか一項に記載の発光装置。
【請求項７】
前記発光部材が発光する光を導光する導光性能を有し、前記発光部材を前記基体に取り付ける取付具をさらに備える
請求項１〜６のいずれか一項に記載の発光装置。
【請求項８】
前記基体は、透明な透明部を備えており、
前記発光部材は、刺し通された状態で前記基体に取り付けられる
請求項１に記載の発光装置。
【請求項９】
前記基体は、繊維状の部材であり、
前記発光部材は、撚る、または、編まれた状態で前記基体に取り付けられる
請求項１に記載の発光装置。
【請求項１０】
前記基体は、網状に形成される、
請求項１に記載の発光装置。
【請求項１１】
前記導光部の端部から放射されるレーザー光に基づき発光する第二発光部を有する照明装置をさらに備える
請求項１〜１０のいずれか一項に記載の発光装置。
【発明の詳細な説明】
【技術分野】
【０００１】
本発明は、形態が変化する基体を備える発光装置に関する。
【背景技術】
【０００２】
従来、可撓性を有する基体の複数箇所にＬＥＤ（Ｌｉｇｈｔ  Ｅｍｉｔｔｉｎｇ  Ｄｉｏｄｅ：発光ダイオード）などが取り付けられた発光装置であって、基体を自在に湾曲させることでＬＥＤの並び状態を変更し、設置場所の形状に適切に対応させた発光状態を得ることのできる発光装置に関する技術が提案されている（例えば、特許文献１参照）。
【先行技術文献】
【特許文献】
【０００３】
【特許文献１】特開２０１４−４１７５２号公報
【発明の概要】
【発明が解決しようとする課題】
【０００４】
ところが、従来の発光装置は、電気を用いて発光する光源、例えばＬＥＤなどが採用されており、少なくとも一往復の電線や光源ごとに前記電線と接続するための電気的接点などが必要である。従って、配線構造が複雑になり、さらに、海中や災害現場などの水分の多い環境下で使用すると、電線間の短絡や接点の錆などが発生するため長時間の使用に対する耐久性に問題がある。
【課題を解決するための手段】
【０００５】
本発明の一態様に係る発光装置は、フレキシブルに形態が変化する基体と、レーザー光を導光する導光部と、前記導光部に導光されるレーザー光の一部を導光方向と交差する方向に漏出させる漏洩手段と、導光方向に沿って延在し前記漏洩手段により漏洩したレーザー光に基づき発光する第一発光部とを有する発光部材であって、前記基体に取り付けられ、前記基体の形態の変化に追随してフレキシブルに形態が変化する発光部材とを備える。
【発明の効果】
【０００６】
本発明によれば、発光部分の近傍においては電気を用いることなく線状に発光し、発光部分が自在に曲がる可撓性を備えた発光装置を提供することが可能となる。
【図面の簡単な説明】
【０００７】
【図１】図１は、実施の形態に係る発光装置が適用された送気式潜水を模式的に示す図である。
【図２】図２は、実施の形態に係る発光装置の一部を示す断面斜視図である。
【図３】図３は、導光方向に対し垂直に切断した実施の形態に係る発光部材の断面を示す断面図である。
【図４】図４は、導光方向に沿って切断した実施の形態に係る発光部材の断面を示す断面図である。
【図５】図５は、実施の形態に係る照明装置を示す断面図である。
【図６】図６は、実施の形態に係る発光装置を示す断面図である。
【図７】図７は、実施の形態に係る発光装置の発光状態を示す図である。
【図８】図８は、他の実施の形態に係る発光装置を示す断面斜視図である。
【図９】図９は、他の実施の形態に係る発光装置の使用例を示す図である。
【図１０】図１０は、他の実施の形態に係る発光装置を示す斜視図である。
【図１１】図１１は、他の実施の形態に係る発光装置を示す断面斜視図である。
【図１２】図１２は、他の実施の形態に係る発光装置を示す断面斜視図である。
【発明を実施するための形態】
【０００８】
以下では、本発明の実施の形態に係る発光装置について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【０００９】
また、各図は、模式図であり、必ずしも厳密に図示されたものではない。また、各図において、同じ機能を有する部分や、同じ構成部材については同じ符号を付す場合がある。
【００１０】
（実施の形態１）
以下、実施の形態の一つである送気式潜水に用いられる発光装置について、図面を用いて説明する。
【００１１】
［送気式潜水］
図１は、発光装置が適用された送気式潜水を模式的に示す図である。
【００１２】
同図に示すように、送気式潜水とは、船２００の上に設置されたコンプレッサー、または、流体である呼吸ガスが充填されたタンクなどの呼吸ガス供給源２０１から、フーカー等と称されるホースを通じて潜水士２０２が必要とする空気などの呼吸ガスを供給する潜水方式のことである。
【００１３】
ここで、潜水士２０２は、例えば水深５０ｍ程度の暗い水中で作業するため、遠くにある自身のホースが視認できない、または、視認が非常に困難である。従って、水中に設置された機材や既に存在する構造物などにホースが絡まったり、他の潜水士のホースを視認することができずホースが絡まる事態が発生する。
【００１４】
［発光装置の構成］
そこで、本実施の形態に係る発光装置１００は、潜水士２０２に呼吸ガスを供給するホースとして機能するとともに、光が届かない深海などにおいてもホースの視認性を向上させるために発光をする装置であって、図２に示すように、基体１０１と、発光部材１０２とを備えている。
【００１５】
＜基体＞
基体１０１は、フレキシブルに形態が変化する部材である。本実施の形態の場合、基体１０１は、潜水士２０２に呼吸ガスを供給する管状のホースであるため、外観形状は棒状であり、可撓性、柔軟性、および、ある程度の復元力を備えている。なお、基体１０１を構成する材料は、特に限定されるものではないが、本実施の形態の場合、ホース状の基体１０１は、ゴムで形成されており、基体１０１の引張強度を確保するため、金属製のワイヤー（図示せず）と一体化されている。
【００１６】
また図１に示す様に、基体１０１の一端は、船２００に設けられた呼吸ガス供給源２０１に接続されており、基体１０１の他端は、潜水士２０２のヘルメットやマスクなどに装備されたレギュレーター２２１に接続されている。
【００１７】
＜発光部材＞
発光部材１０２は、基体１０１に取り付けられた状態で線状に発光し、基体１０１の形態の変化に追随してフレキシブルに形態が変化する部材である。
【００１８】
本実施の形態の場合、基体１０１は外観棒状の部材であり、発光部材１０２は、基体１０１の外周面に螺旋状に巻き付けられた状態で取り付けられている。また図１に示す様に、発光部材１０２の一端は、船２００に設けられたレーザー光源２０３に接続されている。
【００１９】
図３は、レーザー光の導光方向に対し垂直に切断した発光部材の断面を示す断面図である。
【００２０】
図４は、レーザー光の導光方向に沿って切断した発光部材の断面を示す断面図である。
【００２１】
これらの図に示すように、発光部材１０２は、導光部１２３と、漏洩手段１２６と、第一発光部１２４と、被覆部１２５とを備えている。
【００２２】
導光部１２３は、レーザー光源２０３で発振させたレーザー光を導光する部材であり、光ファイバーと同様にコア１２１とクラッド１２２とを備えている。導光部１２３は、クラッド１２２よりもコア１２１の屈折率を高くすることで、全反射によりレーザー光をコア１２１内に止め、高い効率でレーザー光を導光する。コア１２１、および、クラッド１２２は、例えば石英ガラスなどのようなレーザー光に対して透過率が高い材質で構成されている。
【００２３】
漏洩手段１２６は、導光部１２３に導光されコア１２１内を通過するレーザー光の一部を導光方向と交差する方向に漏出させる部材、または、構造である。
【００２４】
本実施の形態の場合、漏洩手段１２６は、コア１２１内に分散状態で配置される微小なビーズである。当該ビーズは、レーザー光を散乱させる表面を備えており、漏洩手段１２６によって散乱したレーザー光の一部は、導光方向とは異なる方向に進行し、クラッド１２２を通過して導光部１２３の外に漏出する。
【００２５】
なお、漏洩手段１２６は、コア１２１内に分散配置されたビーズだけに限定されるものではなく、他の部材や構造であってもかまわない。例えば、漏洩手段１２６は、コア１２１内に分散状態で設けられた空隙（気泡）などでもよい。また、漏洩手段１２６は、クラッド１２２の一部に設けられたクラッド１２２とは異なる屈折率を備えた部分であって、コア１２１内を通過するレーザー光が全反射しない条件の部分などであってもよい。
【００２６】
第一発光部１２４は、導光方向に沿った状態で導光部１２３に隣接して延在し、漏洩手段１２６により導光部１２３から漏出したレーザー光に基づき発光する部分である。第一発光部１２４は、導光部１２３から漏出したレーザー光によって励起されて蛍光を発する蛍光体の粒子を分散状態で備える部材である。具体的に、第一発光部１２４は、透明な基材の内部に蛍光体の粒子が分散配置されているもの等を例示できる。また、機材は、レーザー光および蛍光体が放射する光に対して透明であり、基体１０１の形状の変化に追随して撓む樹脂などで構成されている。
【００２７】
第一発光部１２４は、少なくとも一種類の蛍光体を含むものであればよいが、本実施の形態の場合、第一発光部１２４は、三種類の蛍光体を含むことにより白色光を放射するものとなっている。より具体的には、第一発光部１２４は、このような青またはそれよりも短い波長のレーザー光を励起光として白色光を放射するために、赤色を発光する第一蛍光体、青色を発光する第二蛍光体、緑色を発光する第三蛍光体の３種類の蛍光体を適切な割合で含んでいる。このように、短波長のレーザー光により励起した三つの蛍光体が放射した異なる波長の光が混ざり合うことにより白色光の放射を実現している。ここで、「割合」の文言は、対象の少なくとも一つが０である場合も含むものとして用いている。
【００２８】
第一発光部１２４を導光部１２３の外周面に配置する方法は特に限定されるものではないが、例えば、導光部１２３の周面に蛍光体を含有する液状の基材（樹脂）を塗布することにより取り付けてもよく、また、シート状や円筒状の第一発光部１２４を導光部１２３にラミネートしてもかまわない。
【００２９】
なお、導光部１２３のクラッド１２２に蛍光体を含有させ、導光部１２３としての機能と第一発光部１２４としての機能を併有させてもかまわない。
【００３０】
なお、３種類の蛍光体の適切な割合とは、特に限定されるものではなく、発光装置１００の用途に応じて適宜変更される。例えば、本実施の形態の場合の様に深い海中で発光装置１００を上下方向に延在した状態で用いるような場合、最も深い部分に配置される第一発光部１２４における３種類の蛍光体の割合と、中間部分の割合と、最も浅い部分の蛍光体との割合とを異なるものとしてもよい。また、割合の変化は段階的であってもよく、また、グラデーションをなすものでもよい。
【００３１】
また、第一発光部１２４には、レーザー光を蛍光体に効率よく照射するための機能膜、発光した可視光を効率よく放射するための機能膜などを備えていてもかまわない。
【００３２】
被覆部１２５は、発光部材１０２を擦れや傷から保護する部材であり、第一発光部１２４から放射される光を透過させることができる部材である。被覆部１２５の形成、および、第一発光部１２４の周囲への配置方法は特に限定されるものはないが、柔軟性を備えた肉薄の樹脂チューブを第一発光部１２４の周囲に密着状態で配置してもよい。また、被覆部１２５は、第一発光部１２４に液状の樹脂を塗布し、それを紫外線や熱などにより硬化させて形成してもよい。
【００３３】
なお、被腹部１２５にレーザー光を散乱させて、発光部材１０２から漏出するレーザー光のコヒーレンスを低減させる散乱部材、または、構造を備えてもかまわない。
【００３４】
＜照明装置＞
図１に示す様に、発光装置１００は、レーザー光源２０３に接続されている側とは反対の導光部１２３の端部から放射されるレーザー光に基づき発光する第二発光部１３２（図５参照）を有する照明装置１０３をさらに備えている。
【００３５】
図５は、照明装置を示す断面図である。
【００３６】
照明装置１０３は、発光装置１００を視認させるのではなく、放射した光が反射した構造物などを視認させるものであり、第一発光部１２４よりも狭い範囲に強い光を照射することのできる装置である。照明装置１０３は、図１、および、図５に示すように、導光部１２３により導光されたレーザー光Ｌを光源として可視光を放射する装置であって、第二発光部１３２と、カバー１３１と、筐体１３３と、光学系１３４と、ファイバー取付部１３５と、リフレクタ１３６とを備えている。
【００３７】
第二発光部１３２は、図５に示す様に、レーザー光Ｌが照射されることによりレーザー光Ｌとは異なる波長の光を発するものである。第二発光部１３２は、例えば、レーザー光Ｌによって励起されて蛍光を発する蛍光体の粒子を分散状態で備えており、レーザー光Ｌの照射により蛍光体がレーザー光Ｌとは異なる波長の蛍光を発する。具体的に、第二発光部１３２は、第一発光部１２４と同様に、透明な樹脂やガラスからなる基材の内部に蛍光体の粒子が分散されているもの、または、蛍光体の粒子を固めたもの等を例示できる。
【００３８】
なお、第二発光部１３２は、基体１０１の形状の変化に追随するものではないため、可撓性を備えなくてもよい。また、第二発光部１３２が備える蛍光体、および、その割合と第一発光部１２４が備える蛍光体、および、その割合とは、同じでもよく、また、異なってもかまわない。
【００３９】
また、本実施の形態の場合、第二発光部１３２は、レーザー光Ｌが照射される照射面と反対側の面から可視光を放射する透過型であるが、照明装置１０３は、反射型など任意の形式を採用することができる。
【００４０】
カバー１３１は、第二発光部１３２から放射される可視光を透過させることができる透明性を備え、第二発光部１３２の放射側を覆う部材である。本実施の形態の場合、カバー１３１は、水圧に耐えることができる剛性を備え、また、水中における配光を制御する配光制御構造を有している。
【００４１】
筐体１３３は、第二発光部１３２、および、光学系１３４などを保護し、レーザー光Ｌの光路を覆う部材である。本実施の形態の場合筐体１３３の内周面には、レーザー光Ｌを吸収する部材、または、構造が設けられている。本実施の形態の場合、筐体１３３は、カバー１３１とともに密閉構造を形成しており、水圧に耐えることができる剛性を備えている。
【００４２】
光学系１３４は、入射したレーザー光Ｌを第二発光部１３２において集光するように設定されたレンズ群などである。
【００４３】
ファイバー取付部１３５は、発光部材１０２の端部を筐体１３３に取り付ける部材である。本実施の形態の場合、ファイバー取付部１３５は、筐体１３３内に水が浸入しないように、発光部材１０２と筐体１３３との間の密閉性が確保されている。
【００４４】
リフレクター１３６は、第二発光部１３２から放射された光のうち、カバー１３１に直接到達しなかった光をカバー１３１に向けて反射させる部材である。本実施の形態の場合、リフレクター１３６により第二発光部１３２が保持されている。
【００４５】
＜反射部材＞
また本実施の形態の場合、発光装置１００は、図２、および、図６に示す様に、基体１０１と発光部材１０２との間に配置され、発光部材１０２から放射された光を反射する反射部材１０６をさらに備えている。
【００４６】
本実施の形態の場合、反射部材１０６は、一面が反射機能を有し、他面に接着剤が設けられた、テープ状の部材であり、円筒状の基体１０１の表面に発光部材１０２に対応して螺旋状に貼り付けられている。
【００４７】
レーザー光の導光方向を軸として放射方向に光を放射する発光部材１０２において、このように、反射部材１０６を基体１０１の表面に配置することで、基体１０１側に向かって放射される光を基体１０１側から遠ざかる方向に強く反射させることができ、基体１０１の視認性を向上させることが可能となる。
【００４８】
なお、反射部材１０６は、発光部材１０２からの光を正反射させるものばかりでなく、散乱反射させるものでもかまわない。
【００４９】
[複数直列配置]
本実施の形態の場合、発光装置１００は、図１に示す様に、複数の発光部材１０２が基体１０１に所定の間隔（本実施の形態の場合、等間隔）で取り付けられている。また、距離をあけて配置される二つの発光部材１０２は、レーザー光を導光することができる連結部材１０４によって連結されており、発光部材１０２と連結部材１０４との間はｍ接続手段１４１により接続されている。
【００５０】
＜連結部材＞
連結部材１０４は、距離を開けて配置される発光部材１０２の一方から他方の発光部材１０２にレーザー光を導光する部材であり、同軸上にコアとクラッドとを備えたいわゆる光ファイバーである。連結部材１０４を形成する材料は、特に限定されるものではないが、連結部材１０４が発光部材１０２と同様に基体１０１に取り付けられるため、基体１０１の変形に伴ってフレキシブルに形態が変化するものが好ましい。
【００５１】
本実施の形態の場合、連結部材１０４は、発光部材１０２と同様に基体１０１の外周面に螺旋状に巻き付いた状態で取り付けられている。
【００５２】
＜接続手段＞
接続手段１４１は、発光部材１０２から連結部材１０４へ、またはその逆向きにレーザー光が通過できるように発光部材１０２と連結部材１０４とを接続する器具である。具体的に接続手段１４１は、発光部材１０２の導光部１２３の端部と連結部材１０４の端部とを突き合わせ状態で配置し、当該状態を維持することができるコネクタである。
【００５３】
本実施の形態の場合、接続手段１４１は、水中に投入されるものであるため、発光部材１０２と導光部１２３の突き合わせ部分は水が浸入しないように密封されている。
【００５４】
以上の様に、発光部材１０２を等間隔で配置することで、潜水士２０２の深度を視覚的に把握することが可能となる。
【００５５】
さらに本実施の形態の場合、発光部材１０２は、比較的長尺の連結部材１０４を介してレーザー光源２０３に接続されている。
【００５６】
これによれば、潜水士２０２の近傍までレーザー光を効率よく導光することができ、潜水士２０２の近傍に配置された発光部材１０２を比較的強く発光させることが可能となる。
【００５７】
＜色模様＞
また本実施の形態の場合、図７に示す様に、所定の間隔で基体１０１に配置された複数の発光部材１０２のうち、第一発光部材群１１１は、第一光を発光し、第二発光部材群１１２は、第一光とは異なる第二光を発光するものとなっている。具体的には、第一発光部材群１１１に属する発光部材１０２の第一発光部１２４に含まれる蛍光体の種類、組み合わせ、または、割合と、第二発光部材群１１２に属する発光部材１０２の第一発光部１２４に含まれる蛍光体の種類、組み合わせ、または、割合とを異なるものとすることで、同じレーザー光に基づいて異なる色の発光を実現している。
【００５８】
これによれば、基体１０１の全体において発光部材１０２が発光する色の違いによって模様が現れるため、基体１０１の状態、例えば、基体１０１が異常に曲がりくねっていないかなどを一瞥で視認させることが可能となる。また、潜水士２０２が自己の位置（深度）を把握する際に役立てることができる。
【００５９】
［効果］
以上の発光装置１００によれば、呼吸ガスを供給するためのホースである基体１０１の周囲を螺旋状に光らせることができ、光の届かないような深海においても、基体１０１の存在を容易に看取することができる。
【００６０】
また、電気（電流）を用いることなく発光部材１０２を発光させることができるため、水中において使用する場合でも短絡などにより発光が消えることがなく、高い信頼性を確保することが可能となる。
【００６１】
また、基体１０１の曲がりなどに追随して発光部材１０２も曲がるため、つまり、基体１０１の形状変化に線状に発光する部分が追随するため、基体１０１の状態（形状）を容易に看取することができ、基体１０１に無理な応力が発生していないかなどを容易に判断することが可能となる。
【００６２】
また、電気的な接点などに発生する錆などを気にする必要がないため、メンテナンス性を向上させることが可能となる。
【００６３】
（実施の形態２）
続いて、発光装置１００の他の実施の形態について、図面を用いて説明する。なお、前記実施の形態１と同様の作用や機能、同様の機能や形状や機構や構造を有するもの（部分）には同じ符号を付して説明を省略する場合がある。また、以下では実施の形態１と異なる点を中心に説明し、同じ内容については説明を省略する場合がある。
【００６４】
図８は、本実施の形態にかかる発光装置の一部を示す断面斜視図である。
【００６５】
同図に示す様に発光装置１００は、複数本の繊維状の基体１０１と発光部材１０２とが撚り合わすことにより形成されている。
【００６６】
本実施の形態の場合、基体１０１は、発光部材１０２の全周を覆うように配置されており、発光部材１０２を保護している。また、基体１０１は、発光部材１０２の放射する光透過することができる素材、例えば樹脂などで形成された繊維である。基体１０１は、細い繊維を撚り合わせて発光部材１０２と同様の径を備えた糸を形成し、図８に示すように、当該糸を発光部材１０２と共に撚り合わすことによって基体１０１に発光部材１０２を取り付けている。
【００６７】
なお、繊維状の基体１０１と発光部材１０２とを編み合わせることにより、ロープ状の発光装置１００を形成してもかまわない。
【００６８】
これにより、発光部材１０２の外周を繊維状の基体１０１で覆うことで保護しつつ、発光装置１００全体を発光させることができるため、通常時には発光装置１００をコンパクトにまとめて収納しておき、災害時などの状況において発光装置１００を展開して使用することなどが可能となる。例えば、図９に示す様に、夜間においてヘリコプター３００の臨時着陸用スペースを示すための目印をロープ状の発光装置１００で形成することが可能となる。
【００６９】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００７０】
例えば、ロープ状の発光装置１００を網状に編んでもかまわない。これにより、全体、または、一部が発光する網を提供することが可能となる。
【００７１】
また、図１０に示す様に、網状に形成された基体１０１に、発光部材１０２を縫うように取り付けてもかまわない。
【００７２】
このように、網状の部材の一部、または、全部が発光装置１００によって発光することにより、漁網として使用した場合には、集魚効果を高めることができ、柵などとして使用した場合には、特定の動物の忌避効果を高めることなどができる。
【００７３】
また、図１１に示す様に、発光部材１０２は、取付具１０７により基体１０１に取り付けられるものでもよい。この場合、取付具１０７と発光部材１０２との間、または、取付具１０７と基体１０１との間を摺動可能とすることで、基体１０１の形状が変化した場合でも、発光部材１０２は、歪むことなく基体１０１の形状変化に柔軟に追随することが可能となる。また、取付具１０７が発光部材１０２からの光を導光する導光性能を有している場合、発光部材１０２が放射した光により、取付具１０７全体から光を放射することができるため、発光部材１０２が基体１０１に隠れて見えないような位置からでも基体１０１を光により視認することが可能となる。
【００７４】
また、図１２に示す様に、基体１０１は、全体が透明、または、一部に透明な透明部を備えており、発光部材１０２は、透明部に刺し通された状態で基体１０１に取り付けられてもかまわない。ここで、透明とは、発光部材１０２が放射した光に対して高透過であることを意味している。
【００７５】
これによれば、いずれの方向からも基体１０１を発光部材１０２に基づく光により視認することが可能となる。
【００７６】
また、発光装置１００が放射する光の色は、特に限定されるものではなく、例えば霧の中で用いられることが想定される発光装置１００の場合、黄色を強く発光するものであってもよい。
【符号の説明】
【００７７】
１００  発光装置
１０１  基体
１０２  発光部材
１０３  照明装置
１０４  連結部材
１０６  反射部材
１０７  取付具
１１１  第一発光部材群
１１２  第二発光部材群
１２３  導光部
１２４  第一発光部
１２６  漏洩手段
１３２  第二発光部
【図１】
2017069053.tif 000003
【図２】
2017069053.tif 000004
【図３】
2017069053.tif 000005
【図４】
2017069053.tif 000006
【図５】
2017069053.tif 000007
【図６】
2017069053.tif 000008
【図７】
2017069053.tif 000009
【図１０】
2017069053.tif 000010
【図１１】
2017069053.tif 000011
【図１２】
2017069053.tif 000012
【図８】
2017069053.tif 000013
【図９】
2017069053.tif 000014